(57)【要約】【課題】スプリングの屈曲や破断による吊下げ具の故障を防止すること。【解決手段】本発明では、照明器具に吊下げ具を接続した照明装置において、吊下げ具は、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させることにした。特に、前記上下一対のスプリングは、上側のスプリングによる付勢力よりも下側のスプリングによる付勢力を大きくすることにした。【選択図】図４
2008258107.tif 000002
【特許請求の範囲】
【請求項１】
照明器具を吊下げるための照明装置用吊下げ具において、
構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させたことを特徴とする照明装置用吊下げ具。
【請求項２】
前記上下一対のスプリングは、上側のスプリングによる付勢力よりも下側のスプリングによる付勢力を大きくしたことを特徴とする請求項１に記載の照明装置用吊下げ具。
【請求項３】
照明器具に吊下げ具を接続した照明装置において、
吊下げ具は、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させたことを特徴とする照明装置。
【請求項４】
前記上下一対のスプリングは、上側のスプリングによる付勢力よりも下側のスプリングによる付勢力を大きくしたことを特徴とする請求項３に記載の照明装置。
【発明の詳細な説明】
【技術分野】
【０００１】
本発明は、照明装置及び照明装置用吊下げ具に関するものである。
【背景技術】
【０００２】
従来より、屋内外で天井や支柱などの構造物に吊下げられて使用される照明装置は、反射傘の内側に電球を収容した照明器具に吊下げ具を接続し、吊下げ具を天井や支柱などの構造物に取付けた構成となっている。
【０００３】
この照明装置に用いられる吊下げ具としては、単に天井や支柱に照明器具を取付けるための剛体からなるものの他に、振動や揺れに対応できるように単にスプリングを用いた構造のものが知られている（たとえば、特許文献１参照。）。
【０００４】
【特許文献１】特開昭５０−９４９５号公報
【発明の開示】
【発明が解決しようとする課題】
【０００５】
ところが、上記従来の照明装置に用いられる吊下げ具では、振動や揺れに対応できるように単にスプリングを用いた構造となっていたために、垂直方向の振動や揺れだけでなく水平方向の振動や揺れがスプリングに直接的に作用してしまう構造であった。
【０００６】
そのため、上記従来の吊下げ具では、水平方向に振動や揺れが生じると、スプリングが屈曲したり破断してしまうおそれがあった。
【課題を解決するための手段】
【０００７】
そこで、請求項１に係る本発明では、照明器具を吊下げるための照明装置用吊下げ具において、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させることにした。
【０００８】
また、請求項２に係る本発明では、前記請求項１に係る本発明において、前記上下一対のスプリングは、上側のスプリングによる付勢力よりも下側のスプリングによる付勢力を大きくすることにした。
【０００９】
また、請求項３に係る本発明では、照明器具に吊下げ具を接続した照明装置において、吊下げ具は、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させることにした。
【００１０】
また、請求項４に係る本発明では、前記請求項３に係る本発明において、前記上下一対のスプリングは、上側のスプリングによる付勢力よりも下側のスプリングによる付勢力を大きくすることにした。
【発明の効果】
【００１１】
そして、本発明では、以下に記載する効果を奏する。
【００１２】
すなわち、本発明では、上端側のケーシングに収容した上下のスプリングで下端側の連結体を接続した球体を回動自在に付勢しているために、垂直方向の振動や揺れだけを上下のスプリングで吸収することができ、水平方向の振動や揺れが上下のスプリングに直接的に作用しない構造とすることができ、スプリングの屈曲や破断による吊下げ具の故障を防止することができる。
【００１３】
特に、上側のスプリングによる付勢力よりも下側のスプリングによる付勢力を大きくした場合には、重量物である照明器具による重力に抗して垂直方向の振動や揺れを良好に吸収することができる。
【発明を実施するための最良の形態】
【００１４】
以下に、本発明に係る照明装置の具体的な構造について図面を参照しながら説明する。
【００１５】
図１及び図２に示すように、本発明に係る照明装置１は、イカ釣り船２の集魚装置に適用することができるものであり、甲板３に支持体４を取付け、支持体４に13個の照明装置１を前後に間隔をあけて取付けている。なお、以下の説明では、本発明に係る照明装置１をイカ釣り船２の集魚装置に適用した場合を例にとり説明しているが、これに限られず、室内外の各種照明に適用することができるものである。
【００１６】
支持体４は、前後一対の支柱5,5の上端部間にワイヤー６を張設しており、各支柱5,5を伸縮自在に形成している。
【００１７】
そして、照明装置１は、支持体４のワイヤー６に振動吸収機能を内蔵する吊下げ具７の上端部を着脱自在に取付け、吊下げ具７の下端部に照明器具８の取付具９を着脱自在に取付けている。なお、照明器具８は、取付具９にアダプター10を取付け、アダプター10に反射傘11を取付けるとともに、反射傘11の内側に電球12を収容している。
【００１８】
このように、上記照明装置１では、支持体４の支柱5,5を伸縮自在に形成しているために、支柱5,5を伸縮させるだけで照明器具８の取付位置（取付高さ）を容易に変更することができる。
【００１９】
また、上記照明装置１では、支持体４に照明器具８を振動吸収機能を有する吊下げ具７を介して接続しているために、吊下げ具７によって振動を吸収することができ、照明器具８によって常に一定の範囲を照射することができる。特に、上記照明装置１を集魚装置として利用した場合には、船が振動しても常に一定の範囲を照射することができ、集魚性能を向上させることができる。
【００２０】
この吊下げ具７は、図３及び図４に示すように、構造物としての支持体４のワイヤー６に取付けるためのケーシング13の下端部から照明器具８に連結するための連結体14を突出させた構成としている。
【００２１】
ケーシング13は、中空円筒状の胴体15の上端部に中空円筒状の蓋体16を螺着するとともに、蓋体16の上端にワイヤー６に接続する矩形板状の接続具17を形成している。
【００２２】
また、ケーシング13は、内部に上下一対のスプリング18,19を収容するとともに、上側のスプリング18の下端と下側のスプリング19の上端に上下一対の略円板状の受皿20,21を配置し、上下の受皿20,21に球面状の受面を形成して、受皿20,21の受面の間に球体22を回動自在に配置している。
【００２３】
この球体22は、照明器具８を連結するための連結体14の上端に連設しており、下側の受皿21の受面に形成した開口部23及びケーシング13の胴体15の底面に形成した開口部24から連結体14を突出させている。
【００２４】
このように、上記照明装置１では、吊下げ具７を構造物に取付けるためのケーシング13から照明器具８に連結するための連結体14を突出させて構成しており、しかも、ケーシング13の内部に上下一対のスプリング18,19を収容するとともに、両スプリング18,19の間に上下一対の受皿20,21を配設し、両受皿20,21の間に球体22を回動自在に配設し、球体22に接続した連結体14を下側の受皿21に形成した開口部23及びケーシング13の底面に形成した開口部24から突出させている。
【００２５】
そのため、上記照明装置１では、上端側のケーシング13に収容した上下のスプリング18,19で下端側の連結体14を接続した球体22を回動自在に付勢しているために、垂直方向の振動や揺れだけを上下のスプリング18,19で吸収することができ、水平方向の振動や揺れが上下のスプリング18,19に直接的に作用しない構造とすることができ、スプリング18,19の屈曲や破断による吊下げ具７の故障を防止することができる。なお、上記照明装置１では、水平方向の振動や揺れに対しては、自重で正規姿勢に復帰できるようになっている。
【００２６】
また、上記照明装置１では、上下のスプリング18,19として同一の形状や付勢力のものを用いてもよく、異なる形状や付勢力のものを用いてもよい。
【００２７】
特に、上側のスプリング18による付勢力よりも下側のスプリング19による付勢力を大きくした場合には、下側のスプリング19によって重量物である照明器具８による重力に対抗して垂直方向の振動や揺れを良好に吸収することができる。
【００２８】
なお、ケーシング13の蓋体16の締め付け位置によって上下のスプリング18,19の付勢力を調整することもできる。
【図面の簡単な説明】
【００２９】
【図１】本発明に係る照明装置を適用したイカ釣り船を示す正面図。
【図２】本発明に係る照明装置を示す正面図。
【図３】本発明に係る吊下げ具を示す正面図。
【図４】同断面図。
【符号の説明】
【００３０】
１  照明装置                            ２  イカ釣り船
３  甲板                                ４  支持体
５  支柱                                ６  ワイヤー
７  吊下げ具                            ８  照明器具
９  取付具                              10  アダプター
11  反射傘                              12  電球
13  ケーシング                          14  連結体
15  胴体                                16  蓋体
17  接続具                              18,19  スプリング
20,21  受皿                             22  球体
23,24  開口部
【図１】
2008258107.tif 000003
【図２】
2008258107.tif 000004
【図３】
2008258107.tif 000005
【図４】
2008258107.tif 000006
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
照明器具を吊下げるための照明装置用吊下げ具において、
構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させ、上下一対のスプリングは、上側のスプリングによる付勢力よりも下側のスプリングによる付勢力を大きくし、ケーシングは、内部に上下一対のスプリングを収容した中空状の胴体に蓋体を螺着して、蓋体の締め付け位置によって上下のスプリングの付勢力を調整可能に構成したことを特徴とする照明装置用吊下げ具。
【請求項２】
照明器具に吊下げ具を接続した照明装置において、
吊下げ具は、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させ、上下一対のスプリングは、上側のスプリングによる付勢力よりも下側のスプリングによる付勢力を大きくし、ケーシングは、内部に上下一対のスプリングを収容した中空状の胴体に蓋体を螺着して、蓋体の締め付け位置によって上下のスプリングの付勢力を調整可能に構成したことを特徴とする照明装置。
【手続補正２】
【補正対象書類名】明細書
【補正対象項目名】０００７
【補正方法】変更
【補正の内容】
【０００７】
そこで、請求項１に係る本発明では、照明器具を吊下げるための照明装置用吊下げ具において、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させ、上下一対のスプリングは、上側のスプリングによる付勢力よりも下側のスプリングによる付勢力を大きくし、ケーシングは、内部に上下一対のスプリングを収容した中空状の胴体に蓋体を螺着して、蓋体の締め付け位置によって上下のスプリングの付勢力を調整可能に構成することにした。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、請求項２に係る本発明では、照明器具に吊下げ具を接続した照明装置において、吊下げ具は、構造物に取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させ、上下一対のスプリングは、上側のスプリングによる付勢力よりも下側のスプリングによる付勢力を大きくし、ケーシングは、内部に上下一対のスプリングを収容した中空状の胴体に蓋体を螺着して、蓋体の締め付け位置によって上下のスプリングの付勢力を調整可能に構成することにした。
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
特に、上側のスプリングによる付勢力よりも下側のスプリングによる付勢力を大きくしたことによって、重量物である照明器具による重力に抗して垂直方向の振動や揺れを良好に吸収することができる。しかも、内部に上下一対のスプリングを収容した中空状の胴体に蓋体を螺着したことによって、蓋体の締め付け位置によって上下のスプリングの付勢力を調整することもできる。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
甲板に取付けた支持体の一対の伸縮自在の支柱の間にワイヤーを張設し、ワイヤーに吊下げ具を介して照明器具を取付けた集魚装置であって、
吊下げ具は、ワイヤーに取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させ、上下一対のスプリングは、上側のスプリングによる付勢力よりも下側のスプリングによる付勢力を大きくし、ケーシングは、内部に上下一対のスプリングを収容した中空状の胴体に蓋体を螺着して、蓋体の締め付け位置によって上下のスプリングの付勢力を調整可能とし、垂直方向の振動や揺れだけを上下のスプリングで吸収し、水平方向の振動や揺れに対して自重で正規姿勢に復帰できるように構成したことを特徴とする集魚装置。
【手続補正３】
【補正対象書類名】明細書
【補正対象項目名】０００７
【補正方法】変更
【補正の内容】
【０００７】
そこで、請求項１に係る本発明では、甲板に取付けた支持体の一対の伸縮自在の支柱の間にワイヤーを張設し、ワイヤーに吊下げ具を介して照明器具を取付けた集魚装置であって、吊下げ具は、ワイヤーに取付けるためのケーシングから照明器具に連結するための連結体を突出させて構成し、ケーシングの内部に上下一対のスプリングを収容するとともに、両スプリングの間に上下一対の受皿を配設し、両受皿の間に球体を回動自在に配設し、球体に接続した連結体を下側の受皿に形成した開口部及びケーシングの底面に形成した開口部から突出させ、上下一対のスプリングは、上側のスプリングによる付勢力よりも下側のスプリングによる付勢力を大きくし、ケーシングは、内部に上下一対のスプリングを収容した中空状の胴体に蓋体を螺着して、蓋体の締め付け位置によって上下のスプリングの付勢力を調整可能とし、垂直方向の振動や揺れだけを上下のスプリングで吸収し、水平方向の振動や揺れに対して自重で正規姿勢に復帰できるように構成することにした。
【手続補正４】
【補正対象書類名】明細書
【補正対象項目名】０００９
【補正方法】削除
【補正の内容】
【手続補正５】
【補正対象書類名】明細書
【補正対象項目名】００１３
【補正方法】変更
【補正の内容】
【００１３】
特に、上側のスプリングによる付勢力よりも下側のスプリングによる付勢力を大きくしたことによって、重量物である照明器具による重力に抗して垂直方向の振動や揺れを良好に吸収することができる。しかも、内部に上下一対のスプリングを収容した中空状の胴体に蓋体を螺着したことによって、蓋体の締め付け位置によって上下のスプリングの付勢力を調整することもできる。
また、垂直方向の振動や揺れだけを上下のスプリングで吸収し、水平方向の振動や揺れが上下のスプリングに直接的に作用しない構造とすることができ、スプリングの屈曲や破断による吊下げ具の故障を防止することができ、水平方向の振動や揺れに対しては自重で正規姿勢に復帰できる。
さらに、支柱を伸縮させるだけで照明器具の取付位置（取付高さ）を容易に変更することができ、船が振動しても常に一定の範囲を照射することができ、集魚性能を向上させることができる。